(57)【要約】【課題】  新築の屋根材又は既存の屋根材に被せて改修する改修用屋根材として使用することができ、防水性、対風圧強度及び施工性に優れた金属屋根材を提供する。【解決手段】屋根の野地板に働き幅を存して水下側から水上側に向けて階段状に順次重ねて固定する金属屋根材であって、働き幅を有する平板部１１ａと、平板部の水上側上部に立設され、その上部の水上側に係合溝１１ｆが形成された載置部１１ｃと、平板部の水下側端部が下方に折曲され、その内側面に水上側に向けて係止片１１ｊが形成された係止部１１ｉとを有し、アルミ押し出し成型により一体に形成された構成としている。【選択図】図２
2007051425.tif 000002
【特許請求の範囲】
【請求項１】
屋根の野地板に働き幅を存して水下側から水上側に向けて階段状に順次重ねて固定する金属屋根材であって、
前記働き幅を有する平板部と、
前記平板部の水上側上部に立設され、その上部の水上側に係合溝が形成された載置部と、
前記平板部の水下側端部が下方に折曲され、その内側面に水上側に向けて係止片が形成された係止部とを有し、アルミ押し出し成型により一体に形成されたことを特徴とする金属屋根材。
【請求項２】
略Ｌ字状をなし垂直部の上端に形成され前記載置部の係合溝に係合する第１の係止部と、折曲部に形成され前記平板部の水上側上端部を係止する第２の係止部と、前記野地板に載置されて前記金属屋根材を固定する固定部とを有し、アルミ押し出し成型により一体に形成された固定部材を更に備えたことを特徴とする、請求項１に記載の金属屋根材。
【請求項３】
前記野地板の軒先に固定される固定部と、前記固定部から前記軒先の前方かつ上方に張り出して前記軒先に配置された金属屋根材の水下側を載置する載置部とを有し、アルミ押し出し成型により一体に形成された軒先側固定部材を更に備えたことを特徴とする、請求項１又は請求項２に記載の金属屋根材。
【請求項４】
前記金属屋根材の係止片は、水上側に配置される前記金属屋根材の載置部の水下側下面又は前記軒先側固定部材の載置部の下面と係合することを特徴とする、請求項１乃至請求項３の何れかに記載の金属屋根材。
【請求項５】
屋根の野地板に働き幅を存して水下側から水上側に向けて階段状に順次重ねて固定する金属屋根材であって、
前記働き幅を有する平板部と、前記平板部の水下側端部の下側に水上側に向けて開口して形成された略角形Ｕ字状をなす係止部と、前記平板部の水上側端部に楔状をなしかつ上面が水下側に延出されて水返し部が形成された固定部とを有し、アルミ押し出し成型により一体に形成されたことを特徴とする金属屋根材。
【請求項６】
前記固定部の上面に横方向に少なくとも１本の溝が形成されていることを特徴とする、請求項５に記載の金属屋根材。
【請求項７】
前記固定部に載置される平板部と、前記平板部の水上側端部に形成され前記固定部の先端に係止される係止爪と、前記平板部の水下側端部に形成され水上側に配置される金属屋根材の水下側が載置される載置部と、前記水返し部と係合可能な係止片とを有し、アルミ押し出し成型により一体に形成され、前記平板部が前記固定部と共に前記野地板に固定される固定部材を更に備えたことを特徴とする、請求項５又は請求項６に記載の金属屋根材。
【請求項８】
前記載置部の上面に横方向に前記水上側に配置される金属屋根材の水下側の内側面に当接する突起が一体に形成されていることを特徴とする、請求項１乃至請求項７の何れかに記載の金属屋根材。
【請求項９】
前記載置部の上面に横方向に前記水上側に配置される金属屋根材の水下側の内側面に密着する防水パッキンが設けられていることを特徴とする、請求項１乃至請求項７の何れかに記載の金属屋根材。
【請求項１０】
前記係止部の内側面又は前記載置部の何れか一方に横方向に沿ってヒレ状のシート部材が設けられ、前記載置部と水上側に配置された金属屋根材の係止部との間に雨水が浸入することを防止することを特徴とする、請求項１乃至請求項９の何れかに記載の金属屋根材。
【請求項１１】
前記金属屋根材の平板部の上面に横方向に少なくとも１本の突起が一体に形成されていることを特徴とする、請求項１乃至請求項１０の何れかに記載の金属屋根材。
【発明の詳細な説明】
【技術分野】
【０００１】
本発明は、新築の屋根材又は既存の屋根材を改修する改修用屋根材として好適な金属屋根材に関する。
【背景技術】
【０００２】
屋根の改修工法として、図１６に示すように野地板１に葺かれた既存の屋根材としての平板スレート瓦（石綿スレート板）２の上に新規の屋根材３を被せてビス５で固定して改修する改修工法がある。新規の屋根材３は、所定の大きさの鋼板の水下側端部（前端）を下向きに略直角に折曲し、更にその端末を内方に折曲して係合部３ａを形成し、水上側端部（後端）近傍を上向きに略Ｕ字状に折曲し、更にその端末を下向きに折り返して前記係合部３ａと係合可能な係合部３ｂを形成し、裏面に断熱材及び遮音材を兼ねたバックアップ材４を貼着して形成されている。
【０００３】
この新規の屋根材３は、図示のように既存の平板スレート瓦２に被されて水下側の係合部３ａが直ぐ下側に固定されている新規の屋根材３の水上側の係合部３ｂに液密に係合された後、後端部３ｃがビス５により平板スレート瓦２と共に野地板１及び垂木７に固定される。そして、水上側に次の新規屋根材３が被されてその水下側の係合部３ａが前記固定された屋根材３の水上側の係合部３ｂに係合されてその後端部３ｃがビス５で平板スレート瓦２と共に野地板１に固定される。この新規の屋根材３は、既存の平板スレート瓦２の働き幅を無視して順次上に被せる。このようにして新規の屋根材３が既存の平板スレート瓦２に被されて改修される。
【０００４】
また、金属折板からなる屋根材を嵌合して連結配置する横葺金属屋根上に、相互に嵌合可能な改修用屋根材で新たな金属屋根を葺成する改修方法であって、改修用屋根材相互の嵌合部と既設屋根における屋根材の嵌合部とが重なり合わないように改修用屋根材を葺成するようにした改修用金属屋根材も提案されている（例えば、特許文献１参照。）。
【特許文献１】特開２００４−６０２２９号公報（４−５頁、図１）
【発明の開示】
【発明が解決しようとする課題】
【０００５】
しかしながら、上記構造の屋根材は、既存の平板スレート瓦に働き幅を無視して一定幅の新規屋根材を順次被せる工法であるため、新設同様に葺くことが可能であるが、仕上がり面が高くなり、特に壁との取り合い部における躯体処理や、二階の窓の敷居と一階の屋根の壁の取り合い部との間隔が狭い場合等における躯体処理が難しく、防水性に問題が生ずるおそれがある。また、仕上がり面が高くなるために軒先から滴下する雨が既存の雨樋に入り難くなる。また、既存の平板スレート瓦の段差部とバックアップ材との間に隙間ができる等の問題もある。
【０００６】
また、鋼板の大きさを平板スレート瓦の正規の働き幅に合わせた一定の形状に形成し平板スレート瓦に被せるようにした屋根材もある。しかしながら、一般に既存の平板スレート瓦は、働き幅が一定に保たれていないことが多い。このため、働き幅が一定形状に形成された新規の屋根材を被せる場合施工性が悪く、防水性に問題が発生しやすくなる。また、各取り合い部での収まりが悪く、特に壁との取り合い部での漏水が多くなりやすく、この漏水事故を防止するために躯体を傷めて処理する工法が一般的であり、好ましいことではない。
【０００７】
本発明の目的は、新築の屋根材又は既存の屋根材に被せて改修する改修用屋根材として使用することができ、防水性、対風圧強度及び施工性に優れた金属屋根材を提供することにある。
【課題を解決するための手段】
【０００８】
上記目的を達成するために本発明に係わる金属屋根材は、屋根の野地板に働き幅を存して水下側から水上側に向けて階段状に順次重ねて固定する金属屋根材であって、前記働き幅を有する平板部と、前記平板部の水上側上部に立設され、その上部の水上側に係合溝が形成された載置部と、前記平板部の水下側端部が下方に折曲され、その内側面に水上側に向けて係止片が形成された係止部とを有し、アルミ押し出し成型により一体に形成されたことを特徴としている。
【０００９】
野地板に金属屋根材を載置し、水下側に配置した金属屋根材の載置部に水上側に配置した金属屋根材の水下側を載置し、当該載置部の水下側の下側面に水上側の金属屋根材の係止部の係止片を係止させる。このようにして、野地板に水下側から水上側に順次階段状に金属屋根材を載置する。金属屋根材は、アルミ押し出し成型により形成されていることで、製品精度が高く、従来にない防水性、吹き上げ強度が得られる。
【００１０】
また、本発明の請求項２に記載の金属屋根材は、請求項１に係わる金属屋根材において、略Ｌ字状をなし垂直部の上端に形成され前記載置部の係合溝に係合する第１の係止部と、折曲部に形成され前記平板部の水上側上端部を係止する第２の係止部と、前記野地板に載置されて前記金属屋根材を固定する固定部とを有し、アルミ押し出し成型により一体に形成された固定部材を更に備えたことを特徴としている。
【００１１】
固定部材の第１の係止部により水下側に配置された金属屋根材の載置部の係合溝に第１の係止部を係合して係止し、第２の係止部により平板部の上端部を押さえ付けて係止し、固定部を野地板に固定して水下側に配置された金属屋根材の載置部を野地板に固定する。これにより、金属屋根材を野地板に固定することができる。
【００１２】
また、本発明の請求項３に記載の金属屋根材は、請求項１又は請求項２に係わる金属屋根材において、前記野地板の軒先に固定される固定部と、前記固定部から前記軒先の前方かつ上方に張り出して前記軒先に配置された金属屋根材の水下側を載置する載置部とを有し、アルミ押し出し成型により一体に形成された軒先側固定部材を更に備えたことを特徴としている。
【００１３】
軒先側固定部材の固定部を野地板の軒先に固定し、軒先から前方かつ上方に張り出した載置部に軒先に載置された最初の金属屋根材の係止部を載置しかつ係止する。これにより、軒先側に配置する最初の金属屋根材の係止部（先端部）を野地板の軒先に固定する。
【００１４】
また、本発明の請求項４に記載の金属屋根材は、請求項１乃至請求項３の何れかに係わる金属屋根材において、前記金属屋根材の係止片は、水下側に配置される前記金属屋根材の載置部の水下側下面又は前記軒先側固定部材の載置部の下面と係合することを特徴としている。
【００１５】
軒先側に配置される金属屋根材の係止部の係止片を軒先側固定部材の載置の下面と係合させ、水上側に配置される金属屋根材の係止部の係止片を水下側に配置された金属屋根材の載置部の水下側下面に係合させて軒先側から棟まで順次金属屋根材を固定する。
【００１６】
また、本願発明の請求項５に記載の金属屋根材は、屋根の野地板に働き幅を存して水下側から水上側に向けて階段状に順次重ねて固定する金属屋根材であって、前記働き幅を有する平板部と、前記平板部の水下側端部の下側に水上側に向けて開口して形成された略角形Ｕ字状をなす係止部と、前記平板部の水上側端部に楔状をなしかつ上面が水下側に延出されて水返し部が形成された固定部とを有し、アルミ押し出し成型により一体に形成されたことを特徴としている。
【００１７】
既存の平板スレート瓦屋根を改修する場合、金属屋根材の平板部を被せるべき平板スレート瓦に載置し、楔状をなす固定部をこの平板スレート瓦とこの平板スレート瓦に重ねられた水上側の平板スレート瓦との隙間に挿入し、水下側端部の略角形Ｕ字状に折曲された係止部によりこの平板スレート瓦の前端を覆い、かつこの平板スレート瓦とこの平板スレート瓦が重ねられた水下側の平板スレート瓦に被せられた金属屋根材との隙間に挿入する。平板スレート瓦に被せられた金属屋根材の固定部は、上下の平板スレート瓦と共に野地板にビスで固定される。
金属屋根材は、平板部が平板スレート瓦の働き幅の全面を覆い、水上側の固定部の上面及び水返し部がこの平板スレート瓦に重ねられている水上側の平板スレート瓦の裏面に当接し、水下側の係止部の下板がこの平板スレート瓦と水下側の平板スレート瓦に被せられた金属屋根材との間に保持される。このようにして既存の平板スレート瓦に順次金属屋根材を被せて改修する。金属屋根材は、アルミ押し出し成型により形成されていることで、製品精度が高く、従来にない防水性、吹き上げ強度が得られる。
【００１８】
また、本発明の請求項６に記載の金属屋根材は、請求項５に係わる金属屋根材において、前記固定部の上面に横方向に少なくとも１本の溝が形成されていることを特徴としている。
【００１９】
金属屋根材の係止部と水下側の金属屋根材との間から雨水が浸入した場合固定部の上面及び水返し部と平板スレート瓦の裏面とが面接触している部分において毛細管現象により徐々に内方へと移動する。固定部の上面に横方向に形成された溝は、平板スレート瓦の裏面と面接触している部分に広い隙間を形成して毛細管現象を断ち切り、雨水が金属屋根材の水上側の奥深くまで浸入することを防止する。
【００２０】
また、本発明の請求項７に記載の金属屋根材は、請求項５又は請求項６に係わる金属屋根材において、前記固定部に載置される平板部と、前記平板部の水上側端部に形成され前記固定部の先端に係止される係止爪と、前記平板部の水下側端部に形成され水上側に配置される金属屋根材の水下側が載置される載置部と、前記水返し部と係合可能な係止片とを有し、アルミ押し出し成型により一体に形成され、前記平板部が前記固定部と共に前記野地板に固定される固定部材を更に備えたことを特徴としている。
【００２１】
新築の屋根においては、野地板に金属屋根材を載置し、水上側の固定部の上面に固定部材の平板部を載置し、係止爪を固定部の先端に係止し、係止片を水返し部に係止し、平板部を固定部と共に野地板にビスで固定する。これにより、金属屋根材を野地板に固定する。そして、この固定部材の載置部に水上側に配置した金属屋根材の水下側を載置し、角形Ｕ字状の係止部を載置部に係止する。このようにして野地板に順次金属屋根材を被せる。
【００２２】
また、本発明の請求項８に記載の金属屋根材は、請求項１乃至請求項７の何れかに係わる金属屋根材において、前記載置部の上面に横方向に前記水上側に配置される金属屋根材の水下側の内側面に当接する突起が一体に形成されていることを特徴としている。
【００２３】
金属屋根材を野地板に固定する固定部材の載置部に横方向に形成した突起は、水上側に配置した金属屋根材の水下側の裏面に当接して当該金属屋根材を支持すると共に雨水の浸入を防止する。
【００２４】
また、本発明の請求項９に記載の金属屋根材は、請求項１乃至請求項７の何れかに係わる金属屋根材において、前記載置部の上面に横方向に前記水上側に配置される金属屋根材の水下側の内側面に密着する防水パッキンが設けられていることを特徴としている。
【００２５】
金属屋根材を野地板に固定する固定部材の載置部に横方向に形成した防水パッキンは、水上側に配置した金属屋根材の水下側の裏面に当接して当該金属屋根材を支持すると共に強風時における雨水の浸入を防止する。また、熱伸縮による金属屋根材と載置部との金属同士の摩擦等で発生する音を回避する。更に、継手捨板の厚さを吸収することができる。
【００２６】
また、本発明の請求項１０に記載の金属屋根材は、請求項１乃至請求項９の何れかに係わる金属屋根材において、前記係止部の内側面又は前記載置部の何れか一方に横方向に沿ってヒレ状のシート部材が設けられ、前記載置部と水上側に配置された金属屋根材の係止部との間に雨水が浸入することを防止することを特徴としている。
【００２７】
係止部の内側面又は載置部の何れか一方に横方向に沿って配置されたヒレ状のシート部材は、載置部と係止部との間（ハゼ内）に雨水が浸入することを防止する。ヒレ状のシート部材は、柔らかいため内部に入った雨水を止めることなく流し出す。また、台風等の強風時にハゼ内に浸入する雨水は、圧力が増せば増すほどヒレ状のシート部材が反対側の面に圧接して、防水効果が発揮される。
【００２８】
また、本発明の請求項１１に記載の金属屋根材は、請求項１乃至請求項１０の何れかに係わる金属屋根材において、前記金属屋根材の平板部の上面に横方向に少なくとも１本の突起が一体に形成されていることを特徴としている。
【００２９】
突起は、降雪時に積雪した雪が落下することを防止する。また、突起の一部を切り欠くことで、雪解け水や雨水を全て軒先に落とすことなく必要な場所にまとめて処理することが可能となる。
【発明の効果】
【００３０】
本発明によると、金属屋根材をアルミ押し出し成型により形成することで、複雑な形状でも容易に形成することが可能となり、従来にない防水性、吹き上げ（耐風圧）強度を得ることができる。また、固定部材を取り付けることにより、より高い防水性を確保することができる。
【００３１】
また、既存の平板スレート瓦を利用して金属屋根材を固定することで、既存の屋根の意匠を損なうことなく、しかも、極めて単純な構造で防水性、固定強度、施工性に優れた屋根材を葺成することができる。更に改修用としての金属屋根材の大幅なコストの低減を図ることが可能となると共に施工性に優れていることと相俟って改修工事費を安く抑えることが可能となり、経済性にも優れている。
【００３２】
また、改修用としての金属屋根材の水上側端部及び水下側端部を既存の平板スレート瓦の段差部の隙間に収めることができ、各取り合い部特に、壁との取り合い部の構造が簡単となり、施工が極めて容易となると共に躯体を傷めることがない。更に、既存の平板スレート瓦の働き幅が多少変わっていても改修用としての金属屋根材の働き幅の調整が極めて簡単であり、作業性の向上が図られる。また、施工途中で雨が降ってきたような場合でも既存の平板スレート瓦と新規に被せた金属屋根材との間に雨水が浸入することがなく、工事を中断することができる。
【００３３】
また、固定部に横方向に形成した溝により面接触した部位の毛細管現象による雨水の浸入を有効に防止することができる。また、載置部に突起や防水パッキンを設け、更に係止部の内側面又は前記載置部の何れか一方に横方向に沿ってヒレ状のシート部材を設けることで、防水性を高めることができると共に、熱伸縮による金属屋根材と載置部との金属同士の摩擦等で発生する音を回避することができる。更に、継手捨板の厚さを金属屋根材の裏面部において吸収することができる。
【００３４】
更に、係止部の内側面又は載置部の何れか一方に横方向に沿って配置されたヒレ状のシート部材は、載置部と係止部との間（ハゼ内）に雨水が浸入することを防止すると共に、柔らかいため内部に入った雨水を止めることなく流し出す。また、台風等の強風時にハゼ内に浸入する雨水は、圧力が増せば増すほどシート部材が反対側の面に圧接して、防水効果が発揮される。
【００３５】
また、金属屋根材の上面に横方向に設けた突起により積雪した雪が落下することを防止することができ、躯体の一部に負担をかけることを防ぐことができる。また、突起の一部を切り欠くことで、雪解け水や雨水を全て軒先に落とすことなく必要な場所にまとめて処理することが可能となる。
【発明を実施するための最良の形態】
【００３６】
以下、本発明の第１の実施形態に係わる金属屋根材について図面に基づいて説明する。
【００３７】
図１は、金属屋根材の平面図を示し、金属屋根材１１は、例えば、横の長さ（横幅）が２点鎖線で示す既存の屋根材としての平板スレート瓦２の横幅の２倍（２枚分）よりも僅かに長く、縦の長さ（縦幅）が既存の平板スレート瓦２の働き幅２ａよりも僅かに広い横方向に細長い長方形状とされている。
【００３８】
金属屋根材１１は、図２に示すように働き幅を有する平板部１１ａの水上側端部（上端部）１１ｂ近傍に載置部１１ｃが所定の高さに立設して形成されている。載置部１１ｃは、側面から見て略Ｔ字状をなし、その上面１１ｅの水上側端部（上端部）が下方に略直角に折曲されて縦壁１１ｄとの間に下方に開口する係合溝１１ｆが形成されている。載置部１１ｃの上面１１ｅの水下側には横方向（長手方向）に沿って嵌合溝（あり溝）１１ｇが形成されている。この載置部１１ｃは、水上側に配置される金属屋根材１１の水下側端部を載置しかつ係止するためのものである。
【００３９】
平板部１１ａの水下側端部（下端部）１１ｉは、下方に略直角に折曲されており、内側面の略中央に水上側に向かって係止片１１ｊが形成されて側面から見て略Ｆ字状をなす係止部とされている（以下「係止部１１ｉ」という）。係止片１１ｊは、水下側に配置された金属屋根材１１の載置部１１ｃの下面１１ｈに当接して係合可能とされている。
【００４０】
この金属屋根材１１は、複雑な形状の成形が可能なアルミ押し出し成型により一体に形成されており、平均板厚が例えば、１.５ミリメートル程度とされ、表面にカラー塗装が施されている。金属屋根材１１は、アルミ押し出し成型により一体に形成されるために製品精度が高く、しかも、極めて軽量で耐食性に優れている。
【００４１】
防水パッキン１２は、チューブ状をなす本体１２ａの下面に載置部１１ｃの嵌合溝１１ｇと嵌合する係合部（アリ）１２ｂが全長に亘り形成され、水下側の側面下部にヒレ状をなすシート部１２ｃが全長に亘り形成されている。この防水パッキン１２は、載置部１１ｃと同じ長さとされており、載置部１１ｃに載置され、係合部１２ｂが嵌合溝１１ｇに嵌合固定され、シート部１２ｃが水下側に延出している。この防水パッキン１２は、ゴム部材により一体に形成されている。
【００４２】
固定部材１３は、金属屋根材１１の水上側端部１１ｂを野地板に固定するためのもので、垂直部１３ａと水平部１３ｂが略直角をなす側面から見て略Ｌ字状に形成されている。垂直部１３ａの上端１３ｃは、載置部１１ｃの係合溝１１ｆに係合する係止部（以下「係止部１３ｃ」という）とされ、折曲部１３ｄには略直角に切りかかれて平板部１１ａの水上側端部（上端部）１１ｂに上方から係合する係止部１３ｅが形成され、水平部１３ｂは、野地板に固定される固定部とされている（以下「固定部１３ｂ」という）。この固定部材１３も金属屋根材１１と同様にアルミ押し出し成型により一体に形成されている。
【００４３】
尚、固定部材１３は、金属屋根材１１の横方向の長さ（横幅）と同じ長さでも良く、或いは押し出し成型後適宜の長さ（幅）に切断しても良い。また、固定部１３ｂに予めビス孔を穿設しておいても良い。
【００４４】
軒先側固定部材１４は、軒先側に配置された金属屋根材１１の水下側の係止部１１ｉを野地板に固定するためのもので、横方向の長さ（横幅）が金属屋根材１１の横方向の長さ（横幅）と同じ長さとされ、平板状の固定部１４ａの先端に略Ｔ字状をなして前板１４ｂが形成されている。前板１４ｂの上端に載置部１４ｃが水下側（前側）に延出して形成されており、上面に横方向に沿って嵌合溝１４ｄが形成されている。
【００４５】
載置部１４ｃは、軒先側に配置される金属屋根材１１の水下側端部を載置しかつ係止するためのものである。前板１４ｂの下方内側面に係止片１４ｅが固定部１４ａと略平行に水上側に延出して形成されている。この複雑な形状の軒先側固定部材１４は、金属屋根材１１と同様にアルミ押し出し成型により一体に形成されている。
【００４６】
防水パッキン１５は、防水パッキン１２と同様に形成されており、チューブ状をなす本体１５ａの下面に係合部１５ｂが全長に亘り形成され、水下側の側面下部にヒレ状をなすシート部１５ｃが全長に亘り形成されている。この防水パッキン１５は、載置部１４ｃと同じ長さとされており、載置部１４ｃに載置され、係合部１５ｂが嵌合溝１４ｄに嵌合されて固定され、シート部１５ｃが水下側に延出している。
【００４７】
以下に図２に示す金属屋根材１１により新築の屋根を施工する場合について説明する。
【００４８】
金属屋根材１１は、防水紙が敷設された野地板に載置される。軒先側固定部材１４は、図３に示すように固定部１４ａと係止片１４ｅとの間に野地板１の先端部１ａを嵌合し、固定部１４ａを野地板１及び破風板８にビス９で固定する。この状態において載置部１４ｃが軒先から前方かつ上方に位置している。
【００４９】
次いで、最初（１段目）の金属屋根材１１の係止部１１ｉが載置部１４ｃの防水パッキン１５の本体１５ａに載置され、係止片１１ｊが載置部１４ｃの下面に係止され、水上側端部１１ｂが図４に示すように野地板１に載置される。次いで、載置部１１ｃの上端側に形成された係合溝１１ｆに固定部材１３の係止部１３ｃを嵌合して係止し、平板部１１ａの水上側端部１１ｂに折曲部１３ｄの係止部１３ｅを上側から押さえ付けるようにして係止し、固定部１３ｂを野地板１及び垂木７にビス９で固定する。これにより、最初の金属屋根材１１が野地板１に固定される。また、隣り合う金属屋根材１１の継ぎ目の下側に周知の継手捨板（図示せず）が配置される。
【００５０】
尚、固定部１３ｂのビス９の固定部位を上方にボス状に膨出させて形成し、内部にゴム或いはウレタン等のパッキンを嵌合してビス９で前記パッキンに孔を開けながら野地板１に固定するようにしても良い。このようにすることで、防水性を更に高めることが可能となると共に、ビス９による切粉の飛散を防止することが可能となる。即ち、金属屋根材１１を既存の平板スレート瓦に被せて改修する場合、ビス９が平板スレート瓦に喰い込む際にアスベストの切粉の飛散を防止する上で有効である。
【００５１】
野地板１の先端部１ａは、軒先側固定部材１４の前板１４ｂと係止片１４ｅとにより覆われていることで雨水による野地板１の先端部１ａの腐食が防止される。また、防水パッキン１５が金属屋根材１１の裏面に密着し、ヒレ状のシート部１５ｃが係止部１１ｉの裏面に当接することで係止部１１ｉの内部（ハゼの内部）への雨水の浸入が防水される。更に、軒先側固定部材１４の前板１４ｂの下端が係止片１４ｅよりも下方に延出していることで、前板１４ｂに付着した雨水が係止片１４ｅ側に回り込む込むことなく滴下される。
【００５２】
次いで、２段目の金属屋根材１１の係止部１１ｉが図４に示すように１段目の金属屋根材１１の載置部１１ｃの防水パッキン１２上に載置され、かつ係止片１１ｊが載置部１１ｃの下面１１ｈに係止され、水上側端部１１ｂが野地板１に載置される。この状態において防水パッキン１２の本体１２ａが２段目の金属屋根材１１の裏面に密着し、ヒレ状のシート部１２ｃが係止部１１ｉの裏面に当接する。このようにして順次金属屋根材１１を野地板１に固定する。
【００５３】
防水パッキン１２，１５は、強風時における雨水の吹き込みを防止すると共に、熱伸縮による金属屋根材１１と載置部１１ｃ，１４ｃとの金属同士の摩擦等で発生する音を回避することができる。また、隣り合う金属屋根材１１の継ぎ目の下側に配置する継手捨板の厚さを金属屋根材１１の裏面部で吸収することができ、継手捨板に浸入する雨水を容易に排出することができ、高い防水性を確保することができる。
【００５４】
また、防水パッキン１２，１５のヒレ状のシート部１２ｃ，１５ｃは、柔らかいため係止部１１ｉの内部（ハゼの内部）に入った雨水は止められることなく自然に流れ出すことになる。また、シート部１２ｃ，１５ｃは、台風等の強風時に係止部１１ｉ内に浸入する雨水の圧力が増せば増すほど係止部１１ｉの内面に圧接して防水効果が発揮される。
【００５５】
図５は、金属屋根材１１の係止部１１ｉの変形例を示し、係止部１１ｉの係止片１１ｊの下方、かつ内側面に嵌合溝１１ｋを形成すると共に、防水パッキンとしてのヒレ状のシート部材１６の裏面に係合部１６ａを形成して嵌合溝１１ｋに嵌合させ、上側縁部１６ｂを係止片１１ｊの下面及び載置部１１ｃの縦壁１１ｄに接触させ、下側縁部１６ｃを水下側に配置された金属屋根材１１の平板部１１ａの上部に接触させるようにしたものである。シート部材１６は、防水パッキン１２，１５と同様に強風時に係止部１１ｉ内に浸入する雨水の圧力が増すほど係止片１１ｊの下面及び載置部１１ｃの縦壁１１ｄに圧接して防水効果が発揮される。
【００５６】
尚、シート部材１６は、必ずしも係止部１１ｉの裏側面に設ける必要はなく、例えば、載置部１１ｃの縦壁１１ｄ側に設けて係止片１１ｊの下面及び係止部１１ｉの内面に接触させるようにしても良い。
【００５７】
図６は本発明に係わる金属屋根材の第２の実施形態を示す。金属屋根材２１は、平板部２１ａの水上側端部（上端部）２１ｂが全幅に亘り側面から見て水上側に凸の中実の楔状をなし、その上面２１ｃが水下側に延出されて水返し部２１ｄが形成された固定部とされている（以下「固定部２１ｂ」という）。そして、上面２１ｃには横方向に沿って全長（全幅）に亘り断面半円形状の溝２１ｅが間隔を存して複数例えば、２本平行に形成されている。尚、溝２１ｅは、１本でも良い。
【００５８】
平板部２１ａの水下側端部（下端部）２１ｆは、側面から見て下側にかつ水上側に向けて開口する略角形Ｕ字状に形成されて係止部とされている（以下「係止部２１ｆ」という）。そして、係止部２１ｆの前板２１ｇの高さ（ハゼ高）が平板スレート瓦の板厚よりも僅かに高く形成され、下板２１ｈに全幅に亘り横方向に沿って波形部２１ｉが形成されている。
【００５９】
尚、平板スレート瓦の軒先の施工には種々の方法があり、例えば、図１０に示すように平板スレート瓦２が２枚重ねられた構造の場合、当該軒先の平板スレート瓦に被せるべき金属屋根材２１は、係止部２１ｆの前板２１ｇの高さ（ハゼ高）がこれに応じて図６に示す場合に比べて２枚分の高さに形成されている。
【００６０】
この金属屋根材２１は、アルミ押し出し成型により一体に形成され、平均板厚が例えば、１.５ミリメートル程度とされ、表面にカラー塗装が施されている。金属屋根材２１は、アルミ押し出し成型により一体に形成されるために製品精度が高く、水返し部２１ｄを一体に形成することが可能であり、固定部２１ｂが中実であるために固定強度が高い。しかも、極めて軽量で耐食性に優れている。
【００６１】
固定部材２３は、横幅が金属屋根材２１の横幅と同じとされ、平板部２３ａが金属屋根材２１の固定部２１ｂの上面２１ｃに載置可能な大きさとされ、その水上側の上端部２３ｂが全幅に亘り下側に僅かに突出して固定部２１ｂの先端（上端）を係止可能な係止爪（以下「係止爪２３ｂ」という）とされている。
【００６２】
平板部２３ａの水下側の下端には図７に詳述するように前板２３ｃが全幅に亘り立設されており、その下側に平板部２３ａ側に略Ｌ字状に突出して金属屋根材２１の固定部２１ｂの水返し部２１ｄと係合可能な係止爪２３ｄが形成されている。また、前板２３ｃの上端部は、水下側に延出し更に下方に折曲されて略逆Ｌ形状をなす載置部２３ｅが形成されている。
【００６３】
そして、載置部２３ｅの上面の水下側縁部に横方向に沿って全長に亘り突起２３ｆが１本形成されている。この突起２３ｆは、上面が平面をなし付け根部分がくびれた側面から見て略半円形状をなし、高さが継手捨板２４のあざ折部２４ｄの高さ（厚さ）と同じとされている。この固定部材２３は、金属屋根材２１と同様にアルミ押し出し成型により一体に形成されている。この固定部材２３は、押さえ縁又は通し吊子と称されている。
【００６４】
これらの金属屋根材２１及び固定部材２３は、アルミ押し出し成型により形成することで、所望の大きさに形成することが可能であり、施工する屋根の大きさや形状等に応じて最適な大きさのものを使用することができる。
【００６５】
図６に戻り、継手捨板２４は、帯状の鋼板の水下側端部（下端部）を下方に略Ｌ字状に折曲して形成され、上板部２４ａが金属屋根板２１の平板部２１ａの下端から固定部２１ｂの上端までの長さよりも僅かに長く、水上側端部（上端部）２４ｂが上側に略Ｖ字状に折り返されて金属屋根材２１の楔状をなす固定部２１ｂの外側に装着可能とされている。
【００６６】
また、前板部２４ｃは、金属屋根材２１の係止部２１ｆの前板２１ｇよりも僅かに短く形成されており、当該係止部２１ｆ内に収納可能とされている。上板部２４ａ及び前板２４ｃの両側部２４ｄは、上側にかつ内方に向けて略Ｕ字状に折曲されてあざ折部とされている（以下「あざ折部２４ｄ」という）。この継手捨板２４は、左右の隣り合う金属屋根材２１の継ぎ目の下側に配置されて継ぎ目から浸入した雨水を水下側の金属屋根材２１上に滴下させて内部への浸入を防止するためのものである。
【００６７】
尚、継手捨板２４は、アルミ部材で形成しても良い。継手捨板２４に金属屋根材２１及び固定部材２３と同じ材質のアルミ部材を使用した場合防錆効果を有効に得ることができ好ましい。
【００６８】
金属屋根材２１の平板部２１ａの裏面には図９に示すようにバックアップ材２２が貼着されている。このバックアップ材２２は、板厚が継手捨板２４のあざ折部２４ｄの高さ（厚さ）とされ、縦方向（上下方向）の長さが平板部２１ａの水下側端部近傍位置から略中央部まで、横方向の長さが金属屋根材２１の左右側端から継手捨板２４の幅の略半分程度残した大きさとされている。このバックアップ材２２は、例えば、発泡スチロール部材で形成されており、断熱材及び遮音材としての機能を有している。尚、バックアップ材２２は、必ずしも必要とするものではない。
【００６９】
また、固定部材２３の突起２３ｆは、バックアップ部材２２が設けられていないタイプの金属屋根材に対して継手捨板２４のあざ折部２４ｄの高さ（厚さ）を金属屋根材２１の裏面において吸収することができ、水上側に配置される金属屋根材２１の水下側を載置させて支持する。この場合、突起２３ｆの両側部を継手捨板２４の幅の略半分程度切り落としてあざ折部２４ｄとの干渉を無くす。尚、突起２３ｆは、付け根部分がくびれていることで、上端面から付け根まで鋸で切り込みを入れた後前後に曲げるだけで容易に折ることができ、簡単に取り除くことができる。
【００７０】
また、突起２３ｆは、その上面が載置される金属屋根材の内側面に当接することにより、雨水が継手捨板２４の上板部２４ａ側に浸入することを防止することができる。尚、突起２３ｆは、前述したバックアップ部材２２が設けられているタイプの金属屋根材２１に対しても同様にして適用することができることは勿論である。
【００７１】
以下に図６に示す金属屋根材２１により新築の屋根を施工する場合について説明する。
【００７２】
金属屋根材２１は、防水紙が敷設された野地板に載置される。図８に示すように軒先側の１段目の金属屋根材２１は、水下側の略角形Ｕ字状をなす係止部２１ｆが野地板１の先端部１ａに端面を覆うように装着されて係止され、水上側の固定部２１ｂが野地板１上に配置される。
【００７３】
次いで、固定部材２３の平板部２３ａを固定部２１ｂに載置し、水下側の係止爪２３ｄを当該固定部２１ｂの水返し部２１ｄに係止すると共に、水上側の係止爪２３ｂを固定部２１ｂの先端（上端）に係止する。また、隣り合う金属屋根材２１の継ぎ目の下側に継手捨板２４を配置する。
【００７４】
継手捨板２４の前板部２４ｃのあざ折部２４ｄは、係止部２１ｆの前板２１ｇの裏面に当接する。金属屋根材２１の裏面にはあざ折部２４ｄの高さ（厚さ）と同じ板厚をなし、かつ左右側端から継手捨板２４の幅の略半分程度残した大きさのバックアップ材２２が設けられていることで、継手捨板２４の上板部２４ａのあざ折部２４ｄの上面が金属屋根材２１の裏面に無理なく当接する。これにより、継手捨板２４の厚さを金属屋根材２１の裏面部において吸収することができ、あざ折部２４ｄによる金属屋根材２１の仕上げに影響が出ることを有効に抑えることができる。
【００７５】
継手捨板２４の略Ｖ字状に折り返された水上側端部（上端部）２４ｂは、金属屋根材２１の楔状をなす固定部２１ｂ及び当該固定部２１ｂに載置された固定部材２３の平板部２３ａの上部外側に装着されて係止される。そして、平板部２３ａと固定部２１ｂとがビス９により野地板１及び垂木７に固定される。このようにして、一段目の金属屋根材２１が野地板１に固定される。この状態において固定部材２３の平板部２３ａの下面と金属屋根材２１の固定部２１ｂの上面２１ｃとが面接触し、かつ２本の溝２１ｅにより横方向に沿って２つの断面半円形状の隙間が形成される。
【００７６】
次いで、２段目の金属屋根材２１の水下側端部（下端部）が固定部材２３の載置部２３ｅに形成されている突起２３ｆに載置され、かつ断面略角形Ｕ字状をなす係止部２１ｆが載置部２３ｅを包み込むように装着される。そして、継手捨板２４が隣り合う金属屋根材２１の継ぎ目の下側かつ載置部２３ｅに載置されて配置される。
【００７７】
係止部２１ｆの下板２１ｈは、その端面が固定部材２３の対向する前板２３ｃと僅かな隙間を存して対向し、その下面が１段目の金属屋根材２１の平板部２１ａと僅かな隙間を存して対向している。これらの隙間は、隣り合う金属屋根材２１の継ぎ目から浸入して継手捨板２４の上板部２４ａに滴下した雨水を排出するための排出口とされる。このようにして、金属屋根材２１が野地板１に軒先から棟まで順次取り付けられる。
【００７８】
金属屋根材２１及び固定部材２３は、製品精度が高いために金属屋根材２１の固定部２１ｂの水返し部２１ｄと固定部材の係止爪２３ｄとが良好に係合して面接触し、載置部２３ｅの突起２３ｆの上面が金属屋根材２１の内側面と面接触しており、更に載置部２３ｅの先端部２３ｇが下方に延出しているために雨水が下方から吹き上げられた場合でも固定部材２３と金属屋根材２１との間に浸入することを有効に阻止することができる。
【００７９】
また、水返し部２１ｄと係止爪２３ｄとが面接触している係合部及び固定部２１ｂの上面２１ｃと平板部２３ａの下面とが面接触している部分から毛細管現象により雨水が浸入してきた場合でも、固定部２１ｂの上面２１ｃと平板部２３ａの下面との間に雨水の浸入方向と直角をなして横方向に形成された２本の溝２１ｅにより遮断され、内方への浸入が防止される。これにより、従来にない防水性、吹き上げ（耐風圧）強度を得ることができる。また、固定部材２３の形状を変えることにより働き幅やハゼ高を容易に変更することが可能であり、建物の意匠や規模に合わせることができる。
【００８０】
また、既存の平板スレート瓦屋根を改修する場合には図９に示すように軒先の１段目の平板スレート瓦２に金属屋根材２１を載置し、水上側の楔状をなす固定部２１ｂを２段目の平板スレート瓦２の水下側端部との段差部の僅かな隙間に押し込みながら水下側の略角形Ｕ字状をなす係止部２１ｆを１段目の平板スレート瓦２の水下側端部に被せる。そして、２段目の平板スレート瓦２と固定部２１ｂと１段目の平板スレート瓦２とをビス５により野地板１及び垂木７に固定する。このように既存の平板スレート瓦２を押さえ込むことにより、防水性及び吹き上げ（耐風圧）強度を得ることができる。
【００８１】
この状態において固定部２１ｂの上面２１ｃが２段目の平板スレート瓦２の裏面と面接触している。また、２段目の金属屋根部材２１の下板２１ｈは、１段目の金属屋根材２１の平板部２１ａと面接触し、その端面が１段目の金属屋根材２１の水返し部２１ｄの端面と僅かな隙間を存して対向している。そして、下板２１ｈが波形部２１ｉにより１段目の金属屋根材２１の平板部２１ａの下面に全幅に亘り接触されている。このようにして、金属屋根材２１が既存の平板スレート瓦２の上に軒先から棟まで順次覆うようにして取り付けられる。尚、この場合固定部材２３は不要である。また、継手捨板は、省略して描いてある。
【００８２】
そして、図１１に示すように最上段の平板スレート瓦例えば、壁１７との取り合い部の平板スレート瓦２に被せる金属屋根材２１は、平板スレート瓦２の雨押え１８が被されている部分の長さに応じて平板部２１ａの水上側を切断し、その端末２１ａ’を雨押え１８と平板スレート瓦２との隙間に押し込む。これにより、壁１７との取り合い部の構造を何ら変更することなく簡単に金属屋根材２１を被せることができ、漏水を防止することができる。しかも、躯体を傷めることがない。このようにして、既存の平板スレート瓦２の段差と一致させて新規の金属屋根材２１を被せることができる。これにより、既存の屋根の意匠を保持することができる。
【００８３】
金属屋根材２１は、水上側の固定部２１ｂを重なり合う上下の平板スレート瓦２の隙間に単に差し込むだけの構造であるため、既存の平板スレート瓦２の施工に起因して働き幅が多少変化している場合でも何ら問題なくかつ簡単に対処することができる。従って、作業性の向上が図られる。また、作業途中で例えば、雨が降ってきた場合でも既存の平板スレート瓦２と新たに被せた金属屋根材２１との間に雨水が浸入することがなく、作業を中断することができる。
【００８４】
図９に戻り、水下側の金属屋根材２１の平板部２１ａと水上側の金属屋根材２１の係止部２１ｆの下板２１ｈとの間から毛細管現象により浸入した雨水は、波形部２１ｉによる隙間により遮断されて内方への浸入が阻止される。また、強風等により多量の雨水が浸入した場合には、水返し部２１ｄにより水下側へ返される。
【００８５】
また、固定部２１ｂの上面２１ｃと平板スレート瓦２の裏面との面接触部分から毛細管現象により浸入した雨水は、２本の溝２１ｅにより遮断されて内方への浸入が阻止される。このように新規の金属屋根材２１により既存の平板スレート瓦２を押さえ込むことにより、従来にない防水性、吹き上げ（耐風圧）強度を得ることができる。
【００８６】
また、金属屋根材２１の裏面に貼着されている断熱性及び遮音性を有するバックアップ材２２より夏季における熱暑や冬季における冷却の影響及び雨音を有効に抑えることができる。
【００８７】
図１２は、図７に示す固定部材２３の変形例を示し、固定部材２５は、載置部２５ｅに嵌合溝２５ｆを形成し、防水パッキン２６を装着したものである。載置部２５ｅの先端部２３ｇは、略Ｌ字状に折曲されている。また、防水パッキン２６は、図２に示す防水パッキン１２と同様に形成されている。固定部材２５及び防水パッキン２６は、固定部材２３及び防水パッキン１２の対応する部位に対応する符号を付して説明を省略する。図１３は、固定部材２５を使用した新築屋根の収まり例を示す説明図である。
【００８８】
図１４は、図６に示す金属屋根材２１の変形例を示す。金属屋根材２７は、平板部２７ａの上面に横方向に雪止め用の小さな板状の突起２７ｍを１本、又は複数例えば、２本間隔を存して平行に一体に形成したものである。他の構成は、金属屋根材２１と略同様であり、対応する部材に対応する符号を付して詳細な説明は省略する。また、図１５は、板状の突起２７ｍに替えて断面ボックス形状の突起２８ｍとしたものである。尚、突起は、板状やボックス形に限るものではなく、他の形状例えば、上方に凸の中空の三角形状としても良い。
【００８９】
これらの突起２７ｍ、２８ｍは、小さな形状で屋根前面に行き止め効果があるため、一般的な雪止め金具と異なり躯体の一部に負担をかけないですむ。別体の雪止め金具特に大きな形状のものを必要としないため、スガ漏れ等の漏水の心配がない。建物全体の意匠を損なうことなく、雪を止めることが可能である。突起２７ｍ，２８ｍの一部を切り欠くことにより、雪解け水や、雨水を全て軒先に落とすことなく必要な場所にまとめて処理することが可能である等の作用・効果がある。また、アルミ部材特有の熱伝導効果と共に、融雪用塗料を塗布することにより、より速い雪解けを可能とすることができる等の効果を得ることができる。
【図面の簡単な説明】
【００９０】
【図１】本発明に係わる金属屋根材の平面図である。
【図２】図１に示した金属屋根材の第１の実施形態を示し、金属屋根材及び固定部材及び軒先側固定部材の側面図である。
【図３】図２に示した金属屋根材の軒先側の取付部の説明図である。
【図４】図３に示した金属屋根材の水上側の取付部の説明図である。
【図５】図２に示した金属屋根材の係止部の変形例を示す説明図である。
【図６】本発明に係わる金属屋根材の第２の実施形態を示す組立斜視図である。
【図７】図６に示した固定部材の側面図である。
【図８】図６に示した金属屋根材を新築の屋根に使用した場合の説明図である。
【図９】図６に示した金属屋根材を既存の屋根の改修用屋根材として使用した場合の説明図である。
【図１０】図６に示した金属屋根材の係止部の変形例を示す説明図である
【図１１】図９に示した金属屋根材と壁との取り合い部の説明図である。
【図１２】図７に示した固定部材の変形例を示す側面図である。
【図１３】図１２に示した固定部材を使用した新築の金属屋根材の収まりを示す説明図である。
【図１４】図６に示す金属屋根材の変形例を示し、新築の屋根の収まりを示す説明図である。
【図１５】図６に示す金属屋根材の変形例を示し、既存の屋根を改修する場合の収まりを示す説明図である。
【図１６】従来の平板スレート瓦改修用金属屋根材を既存の平板スレート瓦に被せて改修する場合の説明図である。
【符号の説明】
【００９１】
１    野地板
１ａ    先端部
２    平板スレート瓦
２ａ    働き幅
３    屋根材
３ａ    係合部
３ｂ    係合部
３ｃ    後端部
４    バックアップ材
５    ビス
７    垂木
８    破風板
９    ビス
１１    金属屋根材
１１ａ    平板部
１１ｂ    水上側端部（上端部）
１１ｃ    載置部
１１ｄ    縦壁
１１ｅ    上面
１１ｆ    係合溝
１１ｇ    嵌合溝
１１ｈ    下面
１１ｉ    係止部（水下側端部（下端部））
１１ｊ    係止片
１１ｋ    嵌合溝
１２    防水パッキン
１２ａ    本体
１２ｂ    係合部
１２ｃ    シート部
１３    固定部材
１３ａ    垂直部
１３ｂ    固定部（水平部）
１３ｃ    係止部（上端）
１３ｄ    折曲部
１３ｅ    係止部
１４    軒先側固定部材
１４ａ    固定部
１４ｂ    前板
１４ｃ    載置部
１４ｄ    嵌合溝
１４ｅ    係止片
１５    防水パッキン
１５ａ    本体
１５ｂ    係合部
１５ｃ    シート部
１６    シート部材（防水パッキン）
１６ａ    係合部
１６ｂ    上側縁部
１６ｃ    下側縁部
１７    壁
１８    雨押え
２１    金属屋根材
２１ａ    平板部
２１ａ’    端末
２１ｂ    固定部（水上側端部（上端部））
２１ｃ    上面
２１ｄ    水返し部
２１ｅ    溝
２１ｆ    係止部（水下側端部）
２１ｇ    前板
２１ｈ    下板
２１ｉ    波形部
２２    バックアップ材
２３    固定部材（通し吊子）
２３ａ    平板部
２３ｂ    係止爪（上端部）
２３ｃ    前板
２３ｄ    係止爪
２３ｅ    載置部
２３ｆ    突起
２３ｇ    先端部
２４    継手捨板
２４ａ    上板部
２４ｂ    水上側端部
２４ｃ    前板部
２４ｄ    あざ折部（両側部）
２５    固定部材
２５ａ    平板部
２５ｂ    係止爪
２５ｃ    前板
２５ｄ    係止爪
２５ｅ    載置部
２５ｆ    嵌合溝
２５ｇ    先端部
２６    防水パッキン
２６ａ    本体
２６ｂ    係合部
２６ｃ    シート部
２７    金属屋根材
２７ａ    平板部
２７ｂ    固定部
２７ｍ    突起
２８    金属屋根材
２８ａ    平板部
２８ｂ    固定部
２８ｍ    突起
【図１】
2007051425.tif 000003
【図２】
2007051425.tif 000004
【図３】
2007051425.tif 000005
【図４】
2007051425.tif 000006
【図５】
2007051425.tif 000007
【図６】
2007051425.tif 000008
【図７】
2007051425.tif 000009
【図８】
2007051425.tif 000010
【図９】
2007051425.tif 000011
【図１０】
2007051425.tif 000012
【図１１】
2007051425.tif 000013
【図１２】
2007051425.tif 000014
【図１３】
2007051425.tif 000015
【図１４】
2007051425.tif 000016
【図１５】
2007051425.tif 000017
【図１６】
2007051425.tif 000018